(57)【特許請求の範囲】
【請求項１】
屋根が設置される前の施工途中の建物を上方から覆うように設けられ、前記建物自体の外周上端部に対して複数箇所で取り付けられる防水シートと、
前記建物における前記外周上端部よりも中央側にて当該建物から上方に起立するように設けられ、前記防水シートを下方から支持する支持部材と、を備え、
前記支持部材は、前記外周上端部に対する前記防水シートの被取付部よりも高い位置で支持するものであり、
前記防水シートには、前記支持部材による支持位置から前記被取付部側に向かって下方傾斜する傾斜面部が形成されており、
前記防水シートは、その周縁部に前記被取付部を有しており、
前記外周上端部には、前記防水シートの前記被取付部を取り付ける取付部材が複数箇所に設けられていることを特徴とする防水シートの設置構造。
【請求項２】
前記各取付部材はそれぞれ前記建物から屋外側に張り出した張出部を有し、その張出部に対して前記防水シートの前記被取付部が取り付けられていることを特徴とする請求項１に記載の防水シートの設置構造。
【請求項３】
前記建物には、外壁が設けられており、
前記取付部材において前記外壁よりも屋外側に張り出した部分が前記張出部となっており、その張出部において前記外壁の上端よりも下方に延出した部分に前記防水シートの前記被取付部が取り付けられていることを特徴とする請求項２に記載の防水シートの設置構造。
【請求項４】
天井大梁、床大梁及びこれら両大梁をつなぐ柱を有してなる複数の建物ユニットが互いに連結されることで建物躯体が構築され、その上方に屋根が配設されるユニット式の建物に適用され、
前記防水シートは、前記建物躯体を上方から覆うように設けられ、
前記建物躯体において前記屋根の直下に配設される前記建物ユニットの天井大梁に前記支持部材が設けられていることを特徴とする請求項１乃至３のいずれか一項に記載の防水シートの設置構造。
【請求項５】
前記防水シートは、分割された複数の分割シートを備え、それら各分割シートが着脱可能に連結されてなるものであることを特徴とする請求項１乃至４のいずれか一項に記載の防水シートの設置構造。
【請求項６】
前記支持部材として、第１支持部材と、該第１支持部材よりも前記防水シートを低い位置で支持する第２支持部材とを備え、
前記第２支持部材は、前記防水シートにおいて前記第１支持部材による支持位置から前記被取付部側に向かって下方傾斜する傾斜面部をその傾斜の途中位置で支持するものであることを特徴とする請求項１乃至５のいずれか一項に記載の防水シートの設置構造。
【請求項７】
天井大梁、床大梁及びこれら両大梁をつなぐ柱を有してなる複数の建物ユニットが互いに連結されることで建物躯体が構築され、その上方に屋根が配設されるユニット式の建物に適用され、
前記支持部材は、前記建物ユニットの製造工場において、前記複数の建物ユニットのうち前記屋根の直下に配置される所定の建物ユニット上に予め設けられ、その状態で施工現場に搬送されるものであることを特徴とする請求項１乃至６のいずれか一項に記載の防水シートの設置構造。
【請求項８】
前記建物を構成する構成部材のうち、前記支持部材が載置される構成部材には上側に開口された挿通孔部が形成されており、
前記支持部材は、当該支持部材と一体又は別体に設けられた取付ピンを有し、その取付ピンを前記挿通孔部に上方から挿通することにより前記構成部材上に取り付けられていることを特徴とする請求項１乃至７のいずれか一項に記載の防水シートの設置構造。
【発明の詳細な説明】
【技術分野】
【０００１】
本発明は、防水シートの設置構造に関する。
【背景技術】
【０００２】
建物の現場施工に際し、雨天時など天候が悪い場合には、屋根を取り付ける前の建物が雨により濡れるのを防止すべく、建物上を防水シートで覆うのが一般的である。この種の防水シートとしては、ポリエチレン等の不透水性を有する材料からなるシート（例えばブルーシート）がよく用いられる。この場合、かかるシートを建物上に複数枚敷き並べることにより、建物が雨で濡れるのを防止している。
【０００３】
また、特許文献１には、その他の防水シートとして、テント状の防水シートが開示されている。この防水シートは、クレーンにより吊り下げ可能な頂部部材と、その頂部部材の外周部に取り付けられた拡張シートとを有して構成されている。この場合、防水シートがクレーンにより建物上方に吊り上げられて当該建物を上方から覆うものとなっている。
【先行技術文献】
【特許文献】
【０００４】
【特許文献１】特開平１０−２６６５７８号公報
【発明の概要】
【発明が解決しようとする課題】
【０００５】
ところで、防水シートを建物上に敷き並べる場合、防水シートには建物上部の構成に応じて局部的に凹みが生じうる。その場合、防水シートの凹み部分には雨水がたまることが考えられ、その凹み部分にたまった雨水が建物上に流れ込んだり、雨が止んで防水シートを建物上から取り外す際に凹み部分にたまった雨水が建物上にこぼれたりするといった不都合が生じるおそれがある。
【０００６】
それに対して、特許文献１のテント状の防水シートは、シート上に雨水がたまることがないものの、防水シートをクレーンにより建物上方に吊り下げた状態で当該建物を上方から覆う構成となっているため、防水シートで建物を覆っている間は作業者がクレーンから離れることが困難となる。そのため、雨が長時間に亘って降り続く場合には作業者に大きな負担を課すこととなり、特に雨が日を跨いで降り続く場合には著しい負担を課すこととなる。また、建物の施工場所がその付近までクレーンの入り込めない環境である場合には防水シートを建物上に配置することができないといった問題もある。つまり、特許文献１の構成はクレーンを用いて防水シートを建物上方に配置する構成であることから、上述したような種々の問題が生じうる。そのため、クレーン等の大型機器を用いることなく簡単に防水シートを建物上に設置できるシート設置構造が求められる。
【０００７】
本発明は、上記事情に鑑みてなされたものであり、防水シートを建物上に比較的簡単に設置することができるとともに、防水シート上に雨水がたまるのを抑制することができる防水シートの設置構造を提供することを主たる目的とするものである。
【課題を解決するための手段】
【０００８】
上記課題を解決すべく、第１の発明の防水シートの設置構造は、屋根が設置される前の施工途中の建物を上方から覆うように設けられ、前記建物の外周上端部に対して複数箇所で取り付けられる防水シートと、前記建物における前記外周上端部よりも中央側にて当該建物から上方に起立するように設けられ、前記防水シートを下方から支持する支持部材と、を備え、前記支持部材は、前記外周上端部に対する前記防水シートの被取付部よりも高い位置で支持するものであり、前記防水シートには、前記支持部材による支持位置から前記被取付部側に向かって下方傾斜する傾斜面部が形成されていることを特徴とする。
【０００９】
本発明によれば、屋根が設置される前の施工途中の建物上に当該建物を上方から覆うように防水シートが設けられ、同シートが被取付部において建物の外周上端部に対して取り付けられている。この場合、従来技術におけるテント状の防水シートの場合とは異なり、防水シートを建物上方に配置するにあたり同シートをクレーンにより吊り下げ支持する必要がなく、防水シートを建物上に比較的簡単に設置することができる。
【００１０】
また、防水シートは、建物において外周上端部よりも中央側にて建物から起立するように設けられた支持部材により、外周上端部に対する被取付部よりも高い位置で支持されており、これにより防水シートには支持部材による支持位置から被取付部の側に向かって下方傾斜された傾斜面部が形成されている。この場合、防水シート上に降った雨水はその傾斜面部に沿って被取付部側換言すると建物の外周上端部側に向かって流下するため、防水シート上に雨水がたまるのを抑制することができる。
【００１１】
第２の発明の防水シートの設置構造は、第１の発明において、前記外周上端部には、前記防水シートを取り付ける取付部材が所定の間隔で複数設けられており、前記各取付部材はそれぞれ前記建物から屋外側に張り出した張出部を有し、その張出部に対して前記防水シートが取り付けられていることを特徴とする。
【００１２】
本発明によれば、建物の外周上端部に設けられた取付部材において建物から屋外側に張り出した張出部に防水シートが取り付けられているため、防水シートが建物よりも屋外側に一部はみ出した状態で設けられている。これにより、防水シートの傾斜面部に沿って流下する雨水を建物よりも屋外側へ導くことができるため、流下する雨水が建物上に流れ落ち建物が濡れてしまうのを確実に防止することができる。
【００１３】
第３の発明の防水シートの設置構造は、第２の発明において、前記建物には、外壁が設けられており、前記取付部材において前記外壁よりも屋外側に張り出した部分が前記張出部となっており、その張出部において前記外壁の上端よりも下方に延出した部分に前記防水シートが取り付けられていることを特徴とする。
【００１４】
本発明によれば、取付部材の張出部において外壁の上端よりも下方に延出した部分に防水シートが取り付けられているため、防水シートの一部が外壁よりも屋外側において外壁の上端よりも下方に延びている。これにより、防水シートの傾斜面部に沿って流下する雨水を外壁よりも屋外側に確実に導くことができるため、外壁の内側に雨水が入り込んで建物内が濡れるのを確実に防止することができる。
【００１５】
第４の発明の防水シートの設置構造は、第１乃至第３のいずれかの発明において、天井大梁、床大梁及びこれら両大梁をつなぐ柱を有してなる複数の建物ユニットが互いに連結されることで建物躯体が構築され、その上方に屋根が配設されるユニット式の建物に適用され、前記防水シートは、前記建物躯体を上方から覆うように設けられ、前記建物躯体において前記屋根の直下に配設される前記建物ユニットの天井大梁に前記支持部材が設けられていることを特徴とする。
【００１６】
複数の建物ユニットが互いに連結されることにより建物躯体が構築されるユニット式建物では、水平方向に隣り合う建物ユニット同士の境界部に沿ってそれら各建物ユニットの天井大梁が配設される。これらの天井大梁は建物躯体の平面視において当該建物躯体の中間部に配置されるため、これらの天井大梁を利用すれば支持部材を建物躯体において外周上端部よりも中央側に配置することが可能となる。また、支持部材をこれら両天井大梁上に跨るようにして設置すれば、上方に起立する支持部材を安定した状態で建物躯体上に設置することが可能である。
【００１７】
第５の発明の防水シートの設置構造は、第１乃至第４のいずれかの発明において、前記防水シートは、分割された複数の分割シートを備え、それら各分割シートが着脱可能に連結されてなるものであることを特徴とする。
【００１８】
本発明によれば、防水シートが複数の分割シートが連結されてなるものであるため、各分割シートの並びを変えることにより様々な形状の防水シートを形成することができる。これにより、建物ごとにその平面視形状に合わせて防水シートを形成することが可能となるため、建物ごとにその形状に合った防水シートを用意する無駄や手間を省くことができる。
【００１９】
第６の発明の防水シートの設置構造は、第１乃至第５のいずれかの発明において、前記支持部材として、第１支持部材と、該第１支持部材よりも前記防水シートを低い位置で支持する第２支持部材とを備え、前記第２支持部材は、前記防水シートにおいて前記第１支持部材による支持位置から前記被取付部側に向かって下方傾斜する傾斜面部をその傾斜の途中位置で支持するものであることを特徴とする。
【００２０】
本発明によれば、防水シートにおいて第１支持部材による支持位置から被取付部側に向かって下方傾斜する傾斜面部が、その傾斜の途中位置で第２支持部材により支持されているため、傾斜面部の途中位置において凹みが発生するのを抑制することができる。そのため、傾斜面部の途中で雨水がたまるといった不都合が生じるのを抑制することができる。
【００２１】
第７の発明の防水シートの設置構造は、第１乃至第６のいずれかの発明において、天井大梁、床大梁及びこれら両大梁をつなぐ柱を有してなる複数の建物ユニットが互いに連結されることで建物躯体が構築され、その上方に屋根が配設されるユニット式の建物に適用され、前記支持部材は、前記建物ユニットの製造工場において、前記複数の建物ユニットのうち前記屋根の直下に配置される所定の建物ユニット上に予め設けられ、その状態で施工現場に搬送されるものであることを特徴とする。
【００２２】
本発明によれば、製造工場において予め建物ユニット上に支持部材が取り付けられ、その取付状態で建物ユニットが施工現場に搬送され設置される。この場合、建物の施工時に雨が降ってきて建物上を防水シートで覆うに際し、支持部材を建物に取り付ける作業を行わなくても済むため、迅速な対応が求められる防水シートの設置作業について作業時間の短縮を図ることができる。
【００２３】
第８の発明の防水シートの設置構造は、第１乃至第７のいずれかの発明において、前記建物を構成する構成部材のうち、前記支持部材が載置される構成部材には上側に開口された挿通孔部が形成されており、前記支持部材は、当該支持部材と一体又は別体に設けられた取付ピンを有し、その取付ピンを前記挿通孔部に上方から挿通することにより前記構成部材上に取り付けられていることを特徴とする。
【００２４】
本発明によれば、支持部材と一体又は別体に設けられた取付ピンを構成部材の挿通孔部に上方から挿通するという簡易な作業により、支持部材を構成部材上に取り付けることができる。また、防水シートを下方から支持する支持部材には概ね防水シートより下向きの荷重がかかるだけであるので、かかる簡易な取付構成においても支持部材が構成部材より容易に外れることがない。
【図面の簡単な説明】
【００２５】
【図１】建物の概要を示す斜視図。
【図２】建物ユニットを示す斜視図。
【図３】防水シートの設置構造を示す斜視図であり、（ａ）が防水シートを建物本体上に設置した状態を示し、（ｂ）が防水シートを建物本体から離した状態を示している。
【図４】分割シートを示す正面図。
【図５】ジョイントシートを示す正面図。
【図６】建物本体における支持部材及び取付部材の設置状態を示す平面図。
【図７】（ａ）が図６のＡ−Ａ線断面図、（ｂ）が図６のＢ−Ｂ線断面図。
【図８】取付部材及びその周辺を拡大して示す縦断面図。
【発明を実施するための形態】
【００２６】
以下に、本発明を具体化した一実施の形態について図面を参照しつつ説明する。なお、図１は建物の概要を示す斜視図である。
【００２７】
図１に示すように、建物１０は、基礎１１上に設けられた建物本体１２と、その建物本体１２の上方に配設された屋根１３とを備える。建物本体１２は、複数の建物ユニット２０が互いに連結されてなる２階建ての建物となっている。建物本体１２は、建物ユニット２０として、平面視の大きさが異なる複数種類（詳しくは２種類）の建物ユニット２０ａ，２０ｂを備えている。これら各建物ユニット２０ａ，２０ｂは、短辺側（妻側）の幅寸法が同一である一方、長辺側（桁側）の幅寸法が相違している。具体的には、建物ユニット２０ａは、建物ユニット２０ｂよりも長辺側の幅寸法が大きくなっている。
【００２８】
建物本体１２の一階部分及び二階部分にはそれぞれ各建物ユニット２０ａ，２０ｂが２つずつ設置されており、同じ大きさの２つの建物ユニット２０ａ（２０ｂ）同士が互いの桁面を向き合わせて配置され、異なる大きさの建物ユニット２０ａ，２０ｂ同士が互いの妻面を向き合わせて配置されている。この場合、建物本体１２の平面視形状は全体として長方形状とされている。
【００２９】
次に、建物ユニット２０について説明する。図２は建物ユニット２０を示す斜視図である。図２に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。
【００３０】
天井大梁２２の上フランジ部２２ａには、固定孔４１が形成されている。固定孔４１は、天井大梁２２の上フランジ部２２ａ上に設置されて屋根１３を下方から支持する束（図示略）を固定するために用いられる孔である。固定孔４１は２つ１組となっており、それが束の設置位置に合わせて複数の箇所に設けられている。
【００３１】
建物ユニット２０の長辺部の相対する天井大梁２２の間には、所定間隔で複数の天井小梁２４が架け渡されている。同じく建物ユニット２０の長辺部の相対する床大梁２３の間には、所定間隔で複数の床小梁２５が架け渡されている。これら各天井小梁２４の下面には、天井材２６が支持されており、これら各床小梁２５上には、床材（図示略）が支持されている。
【００３２】
建物ユニット２０の側面には、外壁パネル２７や内壁パネル６９（図８）が設けられている。建物ユニット２０には隣り合う２つの側面にそれぞれ外壁パネル２７が設けられ、そのうち長辺側（桁面側）の側面に設けられた外壁パネル２７には窓部２８と当該窓部２８を開閉するガラス戸２９とが設けられている。
【００３３】
ところで、建物１０の施工時において屋根１３を設置する前に雨が降ってきた場合には、建物本体１２が雨で濡れるのを防止すべく、建物本体１２を防水シートにより上方から覆うこととしている。本実施形態はこの防水シートの設置構造に特徴を有しており、以下かかる設置構造について図３を用いて説明する。なお、図３は、防水シートの設置構造を示す斜視図であり、（ａ）が防水シートを建物本体１２上に設置した状態を示し、（ｂ）が防水シートを建物本体１２から離した状態を示している。またここでは、建物本体１２が完成した時点、すなわち各建物ユニット２０をすべて設置し終えた時点で、建物本体１２上を防水シートで覆うことを想定している。
【００３４】
図３（ａ）に示すように、建物本体１２上には、当該建物本体１２を上方から覆うようにして防水シート３１が設けられている。防水シート３１は、全体として長方形状に形成されており、その大きさ（縦横寸法）が建物本体１２の平面視の大きさに合わせたものとされている。具体的には、防水シート３１は、その大きさが建物本体１２の平面視の大きさよりも一回り大きくなっており、建物本体１２の建物上面部全体を覆うことが可能となっている。そして、防水シート３１は、その周縁側において建物本体１２の外周上端部に対して取り付けられている。
【００３５】
防水シート３１は、複数（図３では４つ）に分割された分割シート３５を備え、それら各分割シート３５がジョイントシート３６を介して互いに連結されることにより形成されている。各分割シート３５はそれぞれ建物本体１２の二階部分を構成する各建物ユニット２０（上階ユニット）ごとに設けられ、各々の建物ユニット２０をそれぞれ上方から覆うものとなっている。
【００３６】
分割シート３５は、ポリエチレン樹脂等の不透水性を有する材料よりなり、全体として長方形状に形成されている。各分割シート３５はそれぞれ、その大きさが各々の建物ユニット２０の平面視の大きさに合わせて設定されており、詳しくは建物ユニット２０の平面視の大きさよりも一回り大きい大きさとされている。つまり、分割シート３５には、各建物ユニット２０ａ，２０ｂごとに大きさの異なる２種類の分割シート３５ａ，３５ｂがあり、このうち分割シート３５ａが建物ユニット２０ａ上に、分割シート３５ｂが建物ユニット２０ｂ上に配置されている。なお、分割シート３５は、塩化ビニル樹脂等その他の不透水性を有する材料により形成されていてもよい。
【００３７】
次に、分割シート３５の構成について図４を用いてより詳しく説明する。なお、図４は分割シート３５を示す正面図である。
【００３８】
図４に示すように、分割シート３５のシート面には面ファスナ３７が設けられている。面ファスナ３７は、分割シート３５において両側のシート面すなわち両面にそれぞれ設けられており、それら両面の各面ファスナ３７は分割シート３５に対して表裏対称形状となるように形成されている。面ファスナ３７は、後述するジョイントシート３６の面ファスナ３８と着脱可能に接合される接合部となっており、例えば面ファスナ３７が雄接合部、ジョイントシート３６の面ファスナ３８が雌接合部として構成されている。
【００３９】
面ファスナ３７は、分割シート３５において隣り合う２つの端辺に沿ってそれぞれ形成されている。面ファスナ３７は、それら各端辺ごとにそれぞれ所定の間隔を隔てて複数列（図４では２列）設けられており、それら各面ファスナ３７はそれぞれ各々の端辺長さ全域に亘って連続して形成されている。
【００４０】
分割シート３５の隅部には同シート３５の一部が矩形形状に切り欠かれることで切欠部４３が形成されている。切欠部４３は、分割シート３５において面ファスナ３７が設けられていない側の２つの端辺の間の隅部４２に形成されている。ここで、隅部４２は、防水シート３１（分割シート３５）により建物本体１２を上方から覆った際に建物本体１２の出隅部に配置される部位となっており、分割シート３５においてこの隅部４２を挟んで隣り合う２つの端辺側の周縁部は建物本体１２に対して取り付けられるべく下方に曲げられるものとなっている（その詳細は後述）。この場合、隅部４２に切欠部４３が形成されていることにより、分割シート３５の上記２つの端辺側周縁部が互いに干渉し合うことが回避されている。
【００４１】
分割シート３５の隅部４２には、同シート３５の裏側から切欠部４３を塞ぐようにして裏当てシート３９が設けられている。裏当てシート３９は、ポリエチレン樹脂等の不透水性を有する材料により扇形形状（四半円状）に形成されている。裏当てシート３９は、その円弧部を分割シート３５の外側に向けて配置されており、その一部が分割シート３５の裏面に重ね合わせられた状態で接着等により接合されている。これにより、分割シート３５の切欠部４３に流れた雨水を裏当てシート３９により受けることが可能となっている。
【００４２】
分割シート３５の周縁部には複数の箇所に通し孔４５が形成されている。通し孔４５は、分割シート３５ひいては防水シート３１を建物本体１２に取り付ける際に用いるロープ６１（図８参照）を通すための孔である。通し孔４５は、分割シート３５の４隅のうち、隅部４２に対して対角となる隅部を除く３つの隅部、すなわち防水シート３１により建物本体１２上を覆った際に分割シート３５において建物本体１２の外周部に配置される３つの隅部に設けられている。また、通し孔４５は、上記３つの隅部のうち隅部４２においては切欠部４３を挟んだ両側に複数（図４では３つ）ずつ設けられ、他の２つの隅部でも複数（図４では３つ）ずつ設けられている。
【００４３】
次に、ジョイントシート３６について図５を用いて説明する。図５は、ジョイントシート３６を示す正面図である。
【００４４】
図５に示すように、ジョイントシート３６は、ポリエチレン樹脂等の不透水性を有する材料により帯状に形成されている。ジョイントシート３６の片面には、面ファスナ３８が設けられている。面ファスナ３８としては、ジョイントシート３６の長手方向全域に亘って連続して形成された面ファスナ３８ａと、同シート３６における長手方向の一端側において短手方向全域に亘って連続して形成された面ファスナ３８ｂとが設けられている。面ファスナ３８ａは、所定の間隔をおいて４列形成されており、換言すると２列一組のものが二組設けられている。面ファスナ３８ｂは、所定の間隔をおいて２列形成されている。
【００４５】
また、ジョイントシート３６には、その長手方向において面ファスナ３８ｂが設けられている側とは反対側の端部に通し孔４８が形成されている。通し孔４８は、上述した分割シート３５の通し孔４５と同様、ジョイントシート３６（ひいては防水シート３１）を建物本体１２に取り付けるためのロープ６１を通す孔である。通し孔４５は、ジョイントシート３６の短手方向に所定の間隔をおいて２列設けられ、かつ、それら各列において同シート３６の長手方向に複数（図５では３つ）ずつ設けられている。
【００４６】
図３の説明に戻り、防水シート３１において各分割シート３５ａ，３５ｂはそれぞれ二階部分の各建物ユニット２０ａ，２０ｂの並びに合わせて並べられ、その並び状態において隣り合う各分割シート３５は、各々の面ファスナ３７がそれぞれ各分割シート３５の境界部に沿って延びる向きで配置されている。そして、ジョイントシート３６は、隣り合う各分割シート３５の境界部に沿って延びるように、かつ、それら各分割シート３５の表面に跨るように設けられ、その状態でジョイントシート３６の面ファスナ３８ａと分割シート３５の面ファスナ３７とが互いに接合されている。これにより、各分割シート３５がジョイントシート３６を介して互いに連結されている。なお、このとき、分割シート３５の通し孔４５とジョイントシート３６の通し孔４８とは同位置に配置されて連通状態となっている。
【００４７】
また、具体的には、分割シート３５とジョイントシート３６とは互いの２列（複数列）の面ファスナ３７，３８ａ同士を接合させることにより連結されている。この場合、これら２列の面ファスナ３７，３８ａによって、雨水が分割シート３５とジョイントシート３６との間を通じて漏れ出るのを防止することができ、ひいては建物本体１２側に流れ落ちるのを防止することができる。
【００４８】
なお、各ジョイントシート３６はそれぞれ隣り合う分割シート３５同士の境界部に沿って同境界部の全域に亘って設けられている。ここで、防水シート３１における隣り合う分割シート３５同士の各境界部はそれぞれその境界長さが相違するものとなっているため、それに伴って各ジョイントシート３６の長さ寸法もそれぞれ相違するものとなっている。
【００４９】
図３（ｂ）に示すように、建物本体１２の外周上端部には、防水シート３１を取り付けるための複数の取付部材３２が設けられており、建物本体１２における外周上端部よりも中央側には、防水シート３１を下方から支持する複数の支持部材３３が設けられている。防水シート３１は、建物本体１２上においてこれら各取付部材３２上及び各支持部材３３上に跨るようにして設けられている。以下、これら取付部材３２及び支持部材３３について図６乃至図８を用いて説明する。図６は、建物本体１２における取付部材３２及び支持部材３３の設置状態を示す平面図である。図７は、（ａ）が図６のＡ−Ａ線断面図、（ｂ）が図６のＢ−Ｂ線断面図である。図８は、取付部材３２及びその周辺を拡大して示す縦断面図である。なお、図６及び図７では便宜上、建物ユニット２０について躯体（詳しくは柱２１及び天井大梁２２）のみを示しており、図７では防水シート３１を一点鎖線で示している。
【００５０】
まず、取付部材３２について説明する。図６に示すように、取付部材３２は、建物本体１２の外周上端部に沿って所定の間隔で複数箇所に配置されている。具体的には、取付部材３２は、建物本体１２の各出隅部と、建物本体１２の長辺側外周部及び短辺側外周部それぞれの中間部とに配置されている。より詳しくは、取付部材３２は、建物本体１２の長辺側外周部においては隣り合う各建物ユニット２０ａ，２０ｂの境界部と、各建物ユニット２０ａ，２０ｂそれぞれの中央部とに配置されており、建物本体１２の短辺側外周部においては隣り合う各建物ユニット２０ａ（２０ｂ）の境界部に配置されている。
【００５１】
図７及び図８に示すように、取付部材３２は、防水シート３１を接触させた状態で同シート３１を取り付けるものであり、例えば硬質樹脂により形成されている。取付部材３２は、防水シート３１の接触面となる外表面部６３が球面となっている本体部５１と、建物本体１２の外周上端部に取り付けられる一対の取付プレート５２とを有する。
【００５２】
本体部５１は、二階部分の建物ユニット２０の上端角部に装着される被装着部５３を有している。被装着部５３は、建物ユニット２０の上面部、具体的には同ユニット２０の天井大梁２２（詳しくはその上フランジ部２２ａ）の上面に対向する第１対向部５３ａと、該第１対向部５３ａに直交する方向に延び、建物ユニット２０の側面部、具体的には外壁パネル２７の外壁面に対向する第２対向部５３ｂとを有しており、これら各対向部５３ａ，５３ｂに跨るようにして外表面部６３が形成されている。
【００５３】
ここで、外表面部６３は上述したように球形状をなしているため、同外表面部６３に防水シート３１を接触させた状態で取り付けるにあたり、同シート３１が外表面部６３に引っ掛かって破れるといった不都合が生じるのを抑制することができる。また、外表面部６３は球形状以外の曲面形状、例えば円弧面等により形成してもよく、その場合でも上記不都合を抑制することができる。
【００５４】
本体部５１において第２対向部５３ｂよりも屋外側の部分は外壁パネル２７（外壁面材６５）よりも屋外側に張り出した張出部７１となっている。張出部７１は、屋外側に凸となる半球状をなしており、その張出部７１の一部、詳しくは下側半分が外壁パネル２７（外壁面材６５）の上端よりも下方に垂下された垂下部７２となっている。この垂下部７２（詳しくはその下部）にはロープ６１を通すための通し孔６７ａを有する一対のロープ取付部６７が設けられている。
【００５５】
防水シート３１は、その周縁側において各取付部材３２に対して取り付けられている。防水シート３１は、その周縁側が本体部５１の外表面部６３、詳しくは張出部７１の外表面部６３に接触した状態で同外表面部６３に沿って設けられている。防水シート３１（詳しくは分割シート３５及びジョイントシート３６）の通し孔４５，４８と取付部材３２（ロープ取付部６７）の通し孔６７ａとにはそれぞれロープ６１が挿通されており、そのロープ６１を用いて防水シート３１が取付部材３２に対して取り付けられている。この場合、防水シート３１は、外壁パネル２７よりも屋外側であってかつ外壁パネル２７上端よりも下方となる位置で取付部材３２に対して取り付けられている。つまり、防水シート３１はその取付状態においてその周縁側が外壁パネル２７よりも屋外側に延出しており、しかもその延出した一部が外壁パネル２７上端よりも下方に延びている。
【００５６】
また、防水シート３１は、その周縁側において各取付部材３２の外表面部６３に沿って取り付けられているため、シート周縁側ではその周縁に沿うほぼ全域において屋外側に凸となる曲面形状をなしている。この場合、防水シート３１の周縁側を外壁パネル２７よりも屋外側に向けて延出させた構成において、同シート３１の周縁を外壁パネル２７の外壁面に接触又は近接させることができるため、屋外風が防水シート３１と外壁パネル２７の外壁面との間を通じて建物本体１２と防水シート３１との間に流れ込むのを抑制することができる。これにより、防水シート３１が風で巻き上がったりばたついたりするのを抑制することができる。
【００５７】
また、本体部５１は、第１対向部５３ａ及び第２対向部５３ｂのそれぞれにおいて開放された中空部６４を有している。ここで、各取付部材３２のうち、隣り合う建物ユニット２０の境界部に配置される取付部材３２はそれら各建物ユニット２０の柱２１上に跨って設けられる。図示は省略するが、これらの柱２１上には、各柱２１に跨るようにして連結プレートが設けられ、その連結プレートの有する挿通孔部に各柱２１からそれぞれ上方に延びる連結ピンが挿通されることで各柱２１が連結プレートを介して連結されている。かかる構成において、上記取付部材３２は、本体部５１の中空部６４に各連結ピン及び連結プレートを収容させた状態で柱２１上に設置されており、連結ピン等との干渉が回避されている。
【００５８】
各取付プレート５２はそれぞれ各々のプレート５２に形成された取付孔部５２ａを天井大梁２２の固定孔４１と位置合わせした状態で同大梁２２（詳しくはその上フランジ部２２ａ）上に載置されており、その載置状態においてボルト５４が取付孔部５２ａと天井大梁２２の固定孔４１とにそれぞれ挿通されナット５５と締結されている。これにより、取付プレート５２ひいては取付部材３２が天井大梁２２に対して取り付けられている。
【００５９】
なお、取付部材３２の各取付プレート５２は天井大梁２２に沿ってそれぞれ設けられているため、建物本体１２の出隅部に配置される取付部材３２では各取付プレート５２がＬ字状をなすように配置され、建物本体１２の中間部に配置される取付部材３２では各取付プレート５２が一直線上に配置されている。
【００６０】
図８におけるその他の構成について説明すると、外壁パネル２７は、外壁面材６５と、それを裏面側から支持する下地フレーム６６とを有しており、下地フレーム６６が天井大梁２２等にボルト等で取り付けられている。そして、外壁パネル２７の屋内側には内壁パネル６９が取り付けられている。
【００６１】
次に、支持部材３３について説明する。
【００６２】
図６及び図７に示すように、支持部材３３は、建物本体１２上において隣り合う建物ユニット２０（詳しくは二階部分の建物ユニット２０）の境界部、具体的には桁面同士を向き合わせて隣り合う建物ユニット２０の境界部に沿って所定の間隔で複数（本実施形態では３つ）設けられている。各支持部材３３はそれぞれ、上記隣り合う建物ユニット２０の隣接する天井大梁２２上に跨って設けられており、例えば硬質樹脂等により形成されている。支持部材３３は、天井大梁２２から上方に向かって起立する起立部５６と、天井大梁２２の上面に対して取り付けられる一対の取付プレート５７とを有している。
【００６３】
起立部５６は、全体として円柱状をなしており、下側に開口された中空部５８を有している。起立部５６は、その上面部が上側に凸となる曲面形状、具体的には球面形状をなしており、この上面部が防水シート３１を下方から支持する支持面部５６ａとなっている。この場合、防水シート３１を下方から支持するにあたって同シート３１が支持面部５６ａに引っ掛かって破れるといった不都合が生じるのを抑制することができる。
【００６４】
各取付プレート５７は、隣り合う建物ユニット２０の隣接する各天井大梁２２上に跨って設けられている。取付プレート５７は、同プレート５７に形成された複数の取付孔部５７ａが各天井大梁２２の固定孔４１と位置合わせされた状態で同大梁２２上に載置されており、その載置状態で取付プレート５７の上方より取付ピン５９が取付孔部５７ａと固定孔４１とにそれぞれ挿通されている。これにより、取付プレート５７ひいては支持部材３３が天井大梁２２に対して取り付けられている。なお、図６では取付ピン５９が４つの取付孔部５７ａのうち２箇所にのみ挿通されているが、取付ピン５９を３又は４箇所に挿通して取り付けを行ってもよい。
【００６５】
支持部材３３としては、その高さ寸法（上下高さ）すなわち起立部５６の高さ寸法が大小異なる複数種類の支持部材３３ａ，３３ｂが設けられている。このうち第１支持部材３３ａは、第２支持部材３３ｂよりも高さ寸法が大きくなっており、例えば第１支持部材３３ａの高さ寸法が４００ｍｍ、第２支持部材３３ｂの高さ寸法が３００ｍｍとなっている。これにより、第１支持部材３３ａは、天井大梁２２（詳しくはその上フランジ部２２ａ）の上面に対する高さ寸法が第２支持部材３３ｂよりも大きくなっている。また、各支持部材３３ａ，３３ｂはそれぞれ天井大梁２２の上面に対する高さ寸法が、取付部材３２における天井大梁２２の上面に対する高さ寸法（換言すると、天井大梁２２の上面から取付部材３２の上端部までの上下高さ）よりも大きくなっている。つまり、第１支持部材３３ａ、第２支持部材３３ｂ、取付部材３２はこの順序で天井大梁２２に対する高さ寸法が大きくなっている。
【００６６】
各支持部材３３ａ，３３ｂは、隣り合う建物ユニット２０の境界部（ユニット境界部）に沿って一列に設けられており、ユニット境界部に沿う方向において第１支持部材３３ａを挟んだ両側に各第２支持部材３３ｂが配置されるように並んでいる。この場合、各第２支持部材３３ｂはそれぞれユニット境界部に沿う方向（換言すると各支持部材３３が並ぶ並び方向）において、第１支持部材３３ａと建物本体１２の外周部との中間位置に配置されている。また、各支持部材３３ａ，３３ｂはそれぞれユニット境界部に沿う方向において取付部材３２と同位置に配置されている。
【００６７】
なお、第１支持部材３３ａは、４つの建物ユニット２０の柱２１が集結する柱集結部上に配置されている。図示は省略するものの、この柱集結部上では、各柱２１に跨るようにして連結プレートが設けられ、その連結プレートの有する挿通孔部に各柱２１からそれぞれ上方に延びる連結ピンが挿通されることで各柱２１が連結プレートを介して互いに連結されている。かかる構成において、第１支持部材３３ａは、各連結ピン及び連結プレートを起立部５６の中空部５８に収容させた状態で柱集結部上に設置されており、これにより連結ピン及び連結プレートとの干渉が回避されている。
【００６８】
防水シート３１は、上記各支持部材３３によって下方から支持されている。この場合、防水シート３１は、取付部材３２に対する取付位置よりも高い位置で支持部材３３により支持されている。この場合、防水シート３１には、支持部材３３による支持位置から取付部材３２に対する取付位置の側（換言するとシート周縁側）に向かって下方傾斜した傾斜面部３１ａ，３１ｂが形成されている。具体的には、図７（ａ）に示すように、防水シート３１には、その長手方向において、第１支持部材３３ａによる支持位置から取付部材３２（詳しくは建物本体１２の短辺側外周部に配置された取付部材３２）に対する取付位置側すなわちシート短辺側に向かって下方傾斜する傾斜面部３１ａが形成されており、その傾斜面部３１ａがその傾斜の途中位置において第２支持部材３３ｂにより下方から支持されている。また、図７（ｂ）に示すように、防水シート３１には、その短手方向において、第１支持部材３３ａによる支持位置から取付部材３２（詳しくは建物本体１２の長辺側外周部に配置された取付部材３２）に対する取付位置側すなわちシート長辺側に向かって下方傾斜する傾斜面部３１ｂが形成されている。これにより、防水シート３１上に降った雨水は傾斜面部３１ａ，３１ｂに沿って防水シート３１の周縁側に向かって流下する。その結果、防水シート３１上に雨水がたまるのを抑制することができる。
【００６９】
次に、防水シート３１を用いて建物本体１２を上方から覆う際の作業手順について説明する。
【００７０】
まず、建物本体１２における外周上端部の所定位置に各取付部材３２をボルト５４及びナット５５を用いて取り付けるとともに、建物本体１２における外周上端部よりも中央側の所定位置に各支持部材３３を取付ピン５９を用いて取り付ける。
【００７１】
次に、建物本体１２を上方から覆うようにして防水シート３１を設置する。この場合、防水シート３１が各取付部材３２上及び各支持部材３３上に跨るようにして防水シート３１を設置する。なお、防水シート３１は、予め各分割シート３５をジョイントシート３６を用いて連結することにより形成しておく。
【００７２】
次に、防水シート３１（詳しくは分割シート３５及びジョイントシート３６）の通し孔４５，４８と取付部材３２のロープ取付部６７の通し孔６７ａとにそれぞれロープ６１を通し、該ロープ６１を用いて防水シート３１を取付部材３２に対して取り付ける。これにより、防水シート３１には、支持部材３３による支持位置から取付部材３２に対する取付位置側に向かって下方傾斜する傾斜面部３１ａ，３１ｂが形成され、これをもって防水シート３１の設置作業が終了する。
【００７３】
なお、雨が止んだ後は、防水シート３１を取付部材３２から取り外すとともに、取付部材３２と支持部材３３とを建物本体１２から取り外す撤去作業を行う。上述したように本防水シート３１の設置構造では、防水シート３１上に雨水がたまるのが抑制されているため、撤去作業に際して防水シート３１にたまった雨水が建物本体１２上にこぼれ落ち建物本体１２内（すなわち建物ユニット２０内）が濡れるといった不都合が生じるのを抑制することができる。また、防水シート３１、取付部材３２及び支持部材３３は使い回しされることを想定しているため、撤去した後回収されて倉庫等に保管される。
【００７４】
以上、詳述した本実施形態の構成によれば、以下の優れた効果が得られる。
【００７５】
建物本体１２上に、同建物本体１２を上方から覆うように防水シート３１を設け、該防水シート３１を建物本体１２の外周上端部に設けた取付部材３２に対して取り付けた。この場合、従来技術（特許文献１）におけるテント状の防水シートの場合とは異なり、防水シートを建物本体１２上に配置するにあたって同シート３１をクレーンで吊り下げ支持する必要がなく、比較的簡単に防水シート３１を建物本体１２上に設置することができる。
【００７６】
また、建物本体１２上において外周上端部よりも中央側に当該建物本体１２から上方に起立するように支持部材３３を設け、この支持部材３３により防水シート３１を取付部材３２に対する取付位置よりも高い位置で支持した。そして、かかる支持により、防水シート３１に支持部材３３による支持位置から取付部材３２に対する取付位置側に向かって下方傾斜する傾斜面部３１ａ，３１ｂを形成した。この場合、防水シート３１上に降った雨水が傾斜面部３１ａ，３１ｂに沿って上記取付位置側換言すると建物本体１２の外周上端部側に向かって流下するため、防水シート３１上に雨水がたまるのを抑制することができる。
【００７７】
取付部材３２において建物本体１２（具体的には外壁パネル２７）よりも屋外側に張り出した張出部７１に対して防水シート３１を取り付けたため、防水シート３１が建物本体１２よりも屋外側にはみ出した状態で設けられている。これにより、防水シート３１の傾斜面部３１ａ，３１ｂに沿って流下する雨水を建物本体１２よりも屋外側に導くことができるため、流下する雨水が建物本体１２上に流れ落ち、建物本体１２の内部すなわち建物ユニット２０内が濡れてしまうのを確実に防止することができる。
【００７８】
具体的には、取付部材３２の張出部７１において外壁パネル２７（外壁面材６５）の上端よりも下方に垂下された垂下部７２に対して防水シート３１を取り付けたため、防水シート３１の一部が外壁パネル２７よりも屋外側において外壁パネル２７上端よりも下方にまで延びている。これにより、防水シート３１の傾斜面部３１ａ，３１ｂに沿って流下する雨水を外壁パネル２７よりも屋外側に確実に導くことができるため、外壁パネル２７の内側に雨水が入り込んで建物本体１２の内部、すなわち建物ユニット２０内部が濡れるのをより確実に防止することができる。
【００７９】
支持部材３３として、第１支持部材３３ａと、該第１支持部材３３ａよりも防水シート３１を低い位置で支持する第２支持部材３３ｂとを設け、防水シート３１において第１支持部材３３ａによる支持位置から取付部材３２に対する取付位置側に向かって下方傾斜する傾斜面部３１ａをその傾斜の途中位置で第２支持部材３３ｂにより支持するようにした。これにより、傾斜面部３１ａの途中位置において凹みが発生するのを抑制することができるため、傾斜面部３１ａの途中で雨水がたまる等の不都合が生じるのを抑制することができる。
【００８０】
防水シート３１を、分割された複数の分割シート３５を着脱可能に連結することにより構成したため、各分割シート３５の並びを変えることにより複数種類の形状の防水シート３１を形成することができる。この場合、建物ごとに建物本体１２の平面視形状に合わせて防水シート３１を形成することができるため、建物ごとに建物本体１２の平面視形状に合った防水シートを用意する無駄や手間を省くことができる。
【００８１】
具体的には、各分割シート３５ａ，３５ｂをそれぞれ各建物ユニット２０ａ，２０ｂ（二階部分の建物ユニット２０）の平面視形状に合わせて形成した。ユニット式建物では、複数の建物ユニット２０からなる建物本体１２の平面視形状が各建物ユニット２０ａ，２０ｂの組み合わせによって決まる。そのため、各建物ユニット２０の組み合わせに応じて各分割シート３５ａ，３５ｂを連結することにより、各建物ごとに建物本体１２の平面視形状に合った防水シート３１を形成することができる。
【００８２】
また、建物本体１２の平面視形状に合った防水シート３１を形成することで、防水シート３１により建物本体１２上を覆った際に同シート３１において建物本体１２よりも屋外側にはみ出す余剰部分を少なくすることができる。これにより、防水シート３１の余剰部分が外壁パネル２７等の外装部材に当たって当該外装部材が傷付くのを抑制することができる。
【００８３】
さらに、従来は雨が降ってきた場合に、建物が雨で濡れるのを防止すべく、建物全体を上方から覆うように複数の防水シートを敷き並べるという面倒な作業を行っていたが、複数の分割シート３５からなる防水シート３１を用いれば、予め建物本体１２の平面視形状に合わせて防水シート３１を形成しておくことができるため、雨が降ってきた場合には防水シート３１を建物本体１２上に設置する等の簡易な作業を行うだけでよい。そのため、急な降雨に対しても迅速に対応することが可能となる。
【００８４】
建物ユニット２０において支持部材３３が載置される天井大梁２２（上フランジ部２２ａ）に固定孔４１を形成し、支持部材３３をその取付プレート５７に形成された取付孔部５７ａと固定孔４１とにそれぞれ上方から取付ピン５９を挿通することにより天井大梁２２に取り付けた。この場合、取付ピン５９を孔４１，５７ａに挿通するという簡易な作業により、支持部材３３を天井大梁２２上に取り付けることができる。しかも、防水シート３１を下方から支持する支持部材３３には概ね防水シート３１より下向きの荷重がかかるだけであるので、かかる簡易な取付構成においても支持部材３３が天井大梁２２から容易に外れることがないようになっている。
【００８５】
建物本体１２において屋根１３の直下に配置される建物ユニット２０（二階部分の建物ユニット２０）の天井大梁２２上に支持部材３３を設けた。ユニット式建物では、水平方向に隣り合う建物ユニット２０同士の境界部に沿ってそれら各建物ユニット２０の天井大梁２２が配設されており、これら各天井大梁２２は建物本体１２の平面視では同建物本体１２の中間部に配置される。この場合、これらの天井大梁２２を利用することで支持部材３３を建物本体１２において外周上端部よりも中央側に配置することが可能となる。また、隣り合う建物ユニット２０において隣接する各天井大梁２２上に跨るようにして支持部材３３を設置したため、上方に向かって起立する同支持部材３３を安定した状態で建物本体１２上に設置することができる。
【００８６】
本発明は上記実施形態に限らず、例えば次のように実施されてもよい。
【００８７】
（１）上記実施形態では、建物本体１２上に、支持部材３３として、高さ寸法（防水シート３１の支持高さ）の異なる第１支持部材３３ａ及び第２支持部材３３ｂを設けたが、これを変更し、同一高さ寸法の支持部材３３のみを、例えば第１支持部材３３ａのみを設けるようにしてもよい。例えば、上記実施形態の構成において、各第２支持部材３３ｂをそれぞれ第１支持部材３３ａに代え、第１支持部材３３ａのみを３箇所に配置することが考えられる。この場合においても、防水シート３１には、第１支持部材３３ａによる支持位置から取付部材３２に対する取付位置側に向かって下方に傾斜する傾斜面部が形成されるため、防水シート３１上に雨水がたまるのを抑制することができる。
【００８８】
また、支持部材３３として、高さ寸法の異なる３種類以上の支持部材を設けてもよい。例えば、第１支持部材３３ａ及び第２支持部材３３ｂに加えて、第２支持部材３３ｂよりも高さ寸法の小さい第３支持部材を桁面同士を向き合わせて隣り合う建物ユニット２０の境界部上に設けることが考えられる。具体的には、第３支持部材を、第１支持部材３３ａ及び第２支持部材３３ｂの並び方向において、第２支持部材３３ｂを挟んで第１支持部材３３ａとは反対側に設け、その第３支持部材により防水シート３１の傾斜面部３１ａを下方から支持するようにする。これにより、傾斜面部３１ａの途中に凹みが生じる不都合をより一層抑制することができる。
【００８９】
また、上記実施形態では、建物本体１２上に支持部材３３を複数設けたが、１つだけ設けてもよい。この場合でも、防水シート３１に、支持部材３３による支持位置から取付部材３２に対する取付位置側に向かって下方傾斜する傾斜面部を形成することができる。
【００９０】
（２）取付部材３２及び支持部材３３のうち少なくともいずれかをユニット製造工場で予め二階部分の建物ユニット２０に取り付けておくようにしてもよい。そうすれば、施工途中に雨が降ってきて建物本体１２上を防水シート３１により覆うに際し、建物ユニット２０に既に取り付けられている部材については建物本体１２への取り付け作業を行わなくても済むため、迅速対応が求められる防水シート３１の設置作業について作業時間の短縮化を図ることができる。
【００９１】
また、支持部材３３は、建物ユニット２０から上方に起立するように設けられるため、建物ユニット２０を搬送する際に支持部材３３が搬送の支障になることが懸念される。そこでこの点に鑑み、支持部材を建物ユニット２０の天井大梁２２に対して傾倒可能に取り付けてもよい。例えば、天井大梁２２上に取付プレートを取り付け、その取付プレートに対して棒状の支持部材をヒンジ等を介して回動可能に取り付けることが考えられる。そして、支持部材を回動することにより、同支持部材を、天井大梁２２から起立した起立状態と、天井大梁２２に沿って傾倒した傾倒状態とに移行可能とすることが考えられる。この場合、建物ユニット２０の搬送時には支持部材を傾倒状態とすることにより、支持部材がユニット搬送の邪魔となるのを抑制することができ、建物本体１２上に防水シート３１を設置する際には、支持部材を起立状態とすることにより防水シート３１を下方から支持することができる。
【００９２】
（３）上記実施形態では、防水シート３１を、取付部材３２の張出部７１において外壁パネル２７の上端よりも下方に垂下した垂下部７２に取り付けたが、これを変更して、張出部７１において外壁パネル２７の上端と同じ高さ位置又はそれよりも高い位置に取り付けてもよい。これは、ロープ取付部６７を張出部７１において垂下部７２よりも上方に配置することにより実現することができる。
【００９３】
また、防水シート３１を取付部材３２を介さないで建物本体１２に直接取り付けるようにしてもよい。例えば、建物ユニット２０の天井大梁２２のウェブ部に予めロープ６１を通すための通し孔を形成しておき、その通し孔を利用して防水シート３１をロープ６１を使って天井大梁２２に直接取り付けることが考えられる。この場合、防水シート３１により建物本体１２上を覆うに際し、取付部材３２を建物本体１２に取り付ける必要がなくなるため、その分作業工数を短縮化することができる。
【００９４】
（４）支持部材３３に取付ピンを一体に設け該取付ピンを用いて支持部材３３を天井大梁２２に取り付けてもよい。具体的には、支持部材３３の取付プレート５７に対して下方に延びる向きで取付ピンを設け、その取付ピンを天井大梁２２の固定孔４１に上方から挿入することにより支持部材３３を天井大梁２２上に取り付けることが考えられる。この場合、支持部材３３と取付ピンとを別々で管理する必要がないため、部材管理をし易いという利点がある。
【００９５】
（５）上記実施形態では、防水シート３１の各分割シート３５をジョイントシート３６を介して互いに連結したが、必ずしもジョイントシート３６を用いて連結する必要はない。例えば、各分割シート３５において隣り合う分割シート３５同士を互いの面ファスナ３７同士を接合させることにより連結してもよい。この場合、隣り合う分割シート３５のいずれか一方の面ファスナ３７を雄接合部、他方の面ファスナ３７を雌接合部により構成する必要がある。
【００９６】
また、上記実施形態では、分割シート３５における隣り合う２つの端辺に面ファスナ３７を設けたが、面ファスナ３７を分割シート３５の３つ又は４つの端辺にそれぞれ設けてもよい。例えば、分割シート３５の４つの端辺にそれぞれ面ファスナ３７を設ければ、同シート３５の４辺それぞれの側において他の分割シート３５との連結が可能となるため、分割シート３５の連結の仕方に関して自由度を高めることができ、防水シート３１の形状及び大きさについて多様な設定が可能となる。また、各分割シート３５ごとに面ファスナ３７の設け方を変えてもよく、例えば分割シート３５ａは２つの端辺のみ、分割シート３５ｂは４つの端辺それぞれに設ける等してもよい。なお、面ファスナ３７を、分割シート３５の片面にのみ設けてもよい。
【００９７】
（６）上記実施形態では、防水シート３１を複数の分割シート３５を連結することにより形成したが、防水シート３１を１枚物のシート材により形成してもよい。
【００９８】
（７）例えば建物本体１２の一階部分が完成した時点、すなわち一階部分を構成する各建物ユニット２０をすべて設置し終えた時点で雨が降ってきた場合等には、当該建物本体１２の一階部分を防水シート３１により上方から覆ってもよい。この場合においても、取付部材３２及び支持部材３３をそれぞれ一階部分の建物ユニット２０に対して取り付ければ、防水シート３１に傾斜面部３１ａ，３１ｂを形成することが可能である。
【００９９】
なお、上記（２）の構成を一階部分の建物ユニット２０に適用してもよい。すなわち、取付部材３２及び支持部材３３のうち少なくともいずれかをユニット製造工場で予め一階部分の建物ユニット２０に取り付けてもよい。そうすれば、建物本体１２の一階部分を防水シート３１により覆う場合においてその作業時間の短縮化を図ることができる。
【０１００】
（８）上記実施形態では、ユニット式建物への適用例を説明したが、鉄骨軸組工法により構築される建物や、在来木造工法により構築される建物等、他の構造の建物にも本発明を適用することができる。例えば、在来木造工法により構築される建物においても、施工途中の建物に対して取付部材３２及び支持部材３３を取り付けることで、本発明における防水シート３１の設置構造を実現することができる。
【符号の説明】
【０１０１】
１０…建物、１２…建物躯体としての建物本体、１３…屋根、２０…建物ユニット、２１…柱、２２…天井大梁、３１…防水シート、３１ａ，３１ｂ…傾斜面部、３２…取付部材、３３…支持部材、３５…分割シート、４１…挿通孔部としての固定孔、５９…取付ピン、７１…張出部。
【図１】
0005759878.tif 000002
【図２】
0005759878.tif 000003
【図３】
0005759878.tif 000004
【図４】
0005759878.tif 000005
【図５】
0005759878.tif 000006
【図６】
0005759878.tif 000007
【図７】
0005759878.tif 000008
【図８】
0005759878.tif 000009